(57)【要約】【課題】  コンシールド型スプリンクラーヘッドに装着される被水防止装置において、複数個所に容易に着脱可能であり、かつ放水時の水流によって移動したり外れたりすることのない被水防止装置を提供する。【解決手段】  被水防止装置はリテーナーあるいは天井面に設置される保持部１と該保持部１に着脱可能に設置される被水防止板２から成り、保持部１には被水防止板２の設置される位置が所定間隔で複数設けられており、スプリンクラーヘッド４から放出された水の勢いによって前記被水防止板２が移動することを防止する移動規制手段を備える。【選択図】    図１
2010167064.tif 000002
【特許請求の範囲】
【請求項１】
給水配管と接続され天井裏に設置されたスプリンクラーヘッドと、天井面に近接して設置され前記スプリンクラーヘッドを室内側から隠蔽し、火災の熱によって落下するカバープレートと、前記スプリンクラーヘッドに外装され下部に前記カバープレートが設置されているリテーナーにより構成されたコンシールド型スプリンクラーヘッドに装着される被水防止装置であり、該被水防止装置はリテーナーあるいは天井面に設置される保持部と該保持部に着脱可能に設置される被水防止板から成り、前記保持部には前記被水防止板の設置される位置が所定間隔で複数設けられており、スプリンクラーヘッドから放出された水の勢いによって前記被水防止板が移動することを防止する移動規制手段を備えることを特徴としたコンシールド型スプリンクラーヘッドの被水防止装置。
【請求項２】
前記コンシールド型スプリンクラーヘッドの被水防止装置において、前記被水防止板の移動規制手段とは、前記保持部および前記被水防止板に、前記被水防止板の保持部円周方向への移動を規制すると共に着脱可能な係合部を設けたことを特徴とした請求項１記載のコンシールド型スプリンクラーヘッドの被水防止装置。
【請求項３】
前記コンシールド型スプリンクラーヘッドの被水防止装置において、前記被水防止板の移動規制手段とは、前記保持部および前記被水防止板に、前記被水防止板の保持部外周方向への移動を規制すると共に着脱可能な係合部を設けたことを特徴とした請求項１記載のコンシールド型スプリンクラーヘッドの被水防止装置。
【請求項４】
前記コンシールド型スプリンクラーヘッドの被水防止装置において、前記保持部には前記リテーナーの鍔部の収容部が設けられていることを特徴とする請求項１から３記載のコンシールド型スプリンクラーヘッドの被水防止装置。
【請求項５】
前記コンシールド型スプリンクラーヘッドの被水防止装置において、前記被水防止板は前記保持部と着脱可能に接続される接合部と該接合部から垂下して設けられた遮水部を有し、該遮水部には前記スプリンクラーヘッドの方向に延出された支持部が形成されていることを特徴とする請求項１から３記載のコンシールド型スプリンクラーヘッドの被水防止装置。
【請求項６】
前記コンシールド型スプリンクラーヘッドの被水防止装置において、前記被水防止板に形成された支持部の角部が接合部付近まで延びており、該角部と接合部により前記保持部を挟持可能であることを特徴とする請求項５記載のコンシールド型スプリンクラーヘッドの被水防止装置。
【請求項７】
前記コンシールド型スプリンクラーヘッドの被水防止装置において、前記保持部の前記カバープレート側に対向する面の前記支持部が設置される位置に表示が付されていることを特徴とする請求項５または６記載のコンシールド型スプリンクラーヘッドの被水防止装置。
【請求項８】
前記コンシールド型スプリンクラーヘッドの被水防止装置において、前記移動規制手段として保持部に溝を形成し、該溝に係止される突起を被水防止板に設けたことを特徴とする請求項１から３記載のコンシールド型スプリンクラーヘッドの被水防止装置。
【請求項９】
前記コンシールド型スプリンクラーヘッドの被水防止装置において、前記移動規制手段として保持部に穿設された穴に被水防止板を係合させたことを特徴とする請求項１から３記載のコンシールド型スプリンクラーヘッドの被水防止装置。
【請求項１０】
前記コンシールド型スプリンクラーヘッドの被水防止装置において、前記移動規制手段として、前記保持部には保持部円周方向への移動を規制する凸部あるいは凹部を形成し、該凸部あるいは凹部に係合可能な形状を有する被水防止板を係合させたことを特徴とする請求項１から３記載のコンシールド型スプリンクラーヘッドの被水防止装置。
【請求項１１】
前記コンシールド型スプリンクラーヘッドの被水防止装置において、前記移動規制手段として前記保持部の内周側に形成した切欠きを設け、断面Ｕ字形状のクリップ部を有する被水防止板のクリップ部を前記切欠き内に嵌め入れ保持部を挟持させたことを特徴とする請求項１から３記載のコンシールド型スプリンクラーヘッドの被水防止装置。
【発明の詳細な説明】
【技術分野】
【０００１】
本発明は、スプリンクラーヘッドが天井内部に隠蔽して設置されるコンシール型スプリンクラードヘッドの被水防止装置に関するものである。
【背景技術】
【０００２】
コンシールド型スプリンクラーヘッドは、スプリンクラーヘッドと、該スプリンクラーヘッドに設置されるカバープレートから構成され、スプリンクラーヘッドが天井裏に設置されており、平時において該スプリンクラーヘッドはカバープレートによって覆い隠され、室内からはカバープレートしか見えない構造になっている。
【０００３】
火災時コンシールド型スプリンクラーヘッドは、火災の熱によってカバープレートが落下する。カバープレートが落下すると天井裏に設置されたスプリンクラーヘッドが露出され、火災の熱気流が直接スプリンクラーヘッドに曝され、スプリンクラーヘッドが作動して水を散布して消火を行う。
【０００４】
一方、被水防止手段は、主に住宅等の室内空間が狭い場所に設置されたスプリンクラーヘッドに用いられるものであり、被水防止手段が設置されたスプリンクラーヘッドが作動して散水を行う場合に、近隣のスプリンクラーヘッドへの被水を防ぐために設置されている。
【０００５】
上記のコンシールド型スプリンクラーヘッドに設置される被水防止装置の一例として、特許文献１および２に記載されたものがある。
【０００６】
【特許文献１】特開２００８−２６４０２１号公報
【特許文献２】特開２０００−１４８２３号公報
【発明の開示】
【発明が解決しようとする課題】
【０００７】
特許文献１の被水防止手段５０は、図９に示すようにカバープレート５１とスプリンクラーヘッド５２を接続しているリテーナー５３の鍔部５４に設置されるものであり、被水防止手段５０の挟持部５５がクリップの作用をしており、鍔部５４に挟持して設置されるものである。
【０００８】
しかしながら、被水防止手段５０をリテーナー５３の鍔部５４に設置する際に、挟持部５５に軸支されている被水防止板５６を、鍔部５４とカバープレート５１の間に差込みながら挟持部５５を鍔部５４に挟まなければならず、設置作業性について改善の余地があるものであった。
【０００９】
また、上記の被水防止手段５０は、リテーナー５３の鍔部５４において設置位置が限定されず鍔部５３の外周縁のどの位置にも設置可能であるというメリットを有しているが、逆に位置が規制されていないことにより被水防止手段５０の設置後に何らかの理由によって位置がずれても気が付かないで、いざ火災になった場合に被水防止板の位置がずれたことによって近隣のスプリンクラーヘッドを被水させてしまうおそれがある。
【００１０】
図８（ａ）、（ｂ）に示す特許文献２の被水防止板６０は、同図（ｂ）に示す円環状の保持部６１と、該保持部の周縁の一部から延出された延出部６２を下方へ垂下させ形成した垂下片６３を有しており、上記の特許文献１と同様の鍔部に保持部６１の開口を通して係止させ、垂下片６３を被水防止手段として用いる。
【００１１】
特許文献２の被水防止板６０は図８（ａ）のシーリングプレート６４に嵌め込まれて設置されるが、垂下片６３はシーリングプレート６４の外周より突出した位置に設けられるのでシーリングプレート６４には延出部６２との干渉を防ぐために挿入口６５が切欠かれて設けられており、該挿入口６５に延出部６２が嵌め込まれるように構成されている。
【００１２】
上記の特許文献２の被水防止板６０を複数設置したい場合、前述の延出部６２が嵌め込まれるシーリングプレート６４の挿入口６５を垂下片６３の数や位置に合わせて設ける必要がある。
【００１３】
そこで本発明では、上記問題に鑑み、コンシールド型スプリンクラーヘッドに装着される被水防止装置において、複数個所に容易に着脱可能であり、かつスプリンクラーヘッドの放水時の水流によって被水防止板が移動したり外れたりすることのない被水防止装置を提供することを目的としている。
【課題を解決するための手段】
【００１４】
上記の目的を達成するために、請求項１記載の発明は、給水配管と接続され天井裏に設置されたスプリンクラーヘッドと、天井面に近接して設置され前記スプリンクラーヘッドを室内側から隠蔽し、火災の熱によって落下するカバープレートと、前記スプリンクラーヘッドに外装され下部に前記カバープレートが設置されているリテーナーにより構成されたコンシールド型スプリンクラーヘッドに装着される被水防止装置であり、該被水防止装置はリテーナーあるいは天井面に設置される保持部と該保持部に着脱可能に設置される被水防止板から成り、前記保持部には前記被水防止板の設置される位置が所定間隔で複数設けられており、スプリンクラーヘッドから放出された水の勢いによって前記被水防止板が移動することを防止する移動規制手段を備えることを特徴としたコンシールド型スプリンクラーヘッドの被水防止装置である。
【００１５】
請求項２記載の発明は、前記コンシールド型スプリンクラーヘッドの被水防止装置において、前記被水防止板の移動規制手段とは、前記保持部および前記被水防止板に、前記被水防止板の保持部円周方向への移動を規制すると共に着脱可能な係合部を設けたことを特徴とした請求項１記載のコンシールド型スプリンクラーヘッドの被水防止装置である。
【００１６】
請求項３記載の発明は、前記コンシールド型スプリンクラーヘッドの被水防止装置において、前記被水防止板の移動規制手段とは、前記保持部および前記被水防止板に、前記被水防止板の保持部外周方向への移動を規制すると共に着脱可能な係合部を設けたことを特徴とした請求項１記載のコンシールド型スプリンクラーヘッドの被水防止装置である。
【００１７】
請求項４記載の発明は、前記コンシールド型スプリンクラーヘッドの被水防止装置において、前記保持部には前記リテーナーの鍔部の収容部が設けられていることを特徴とする請求項１から３記載のコンシールド型スプリンクラーヘッドの被水防止装置である。
【００１８】
請求項５記載の発明は、前記コンシールド型スプリンクラーヘッドの被水防止装置において、前記被水防止板は前記保持部と着脱可能に接続される接合部と該接合部から垂下して設けられた遮水部を有し、該遮水部には前記スプリンクラーヘッドの方向に延出された支持部が形成されていることを特徴とする請求項１から３記載のコンシールド型スプリンクラーヘッドの被水防止装置である。
【００１９】
請求項６記載の発明は、前記コンシールド型スプリンクラーヘッドの被水防止装置において、前記被水防止板に形成された支持部の角部が接合部付近まで延びており、該角部と接合部により前記保持部を挟持可能であることを特徴とする請求項５記載のコンシールド型スプリンクラーヘッドの被水防止装置である。
【００２０】
請求項７記載の発明は、前記コンシールド型スプリンクラーヘッドの被水防止装置において、前記保持部の前記カバープレート側に対向する面の前記角部が挟持される位置に表示が付されていることを特徴とする請求項５または６記載のコンシールド型スプリンクラーヘッドの被水防止装置である。
【００２１】
請求項８記載の発明は、前記コンシールド型スプリンクラーヘッドの被水防止装置において、前記移動規制手段として保持部に溝を形成し、該溝に係止される突起を被水防止板に設けたことを特徴とする請求項１から３記載のコンシールド型スプリンクラーヘッドの被水防止装置である。
【００２２】
請求項９記載の発明は、前記コンシールド型スプリンクラーヘッドの被水防止装置において、前記移動規制手段として保持部に穿設された穴に被水防止板を係合させたことを特徴とする請求項１から３記載のコンシールド型スプリンクラーヘッドの被水防止装置である。
【００２３】
請求項１０記載の発明は、前記コンシールド型スプリンクラーヘッドの被水防止装置において、前記移動規制手段として、前記保持部には保持部円周方向への移動を規制する凸部あるいは凹部を形成し、該凸部あるいは凹部に係合可能な形状を有する被水防止板を係合させたことを特徴とする請求項１から３記載のコンシールド型スプリンクラーヘッドの被水防止装置である。
【００２４】
請求項１１記載の発明は、前記コンシールド型スプリンクラーヘッドの被水防止装置において、前記移動規制手段として前記保持部の内周側に形成した切欠きを設け、断面Ｕ字形状のクリップ部を有する被水防止板のクリップ部を前記切欠き内に嵌め入れ保持部を挟持させたことを特徴とする請求項１から３記載のコンシールド型スプリンクラーヘッドの被水防止装置である。
【発明の効果】
【００２５】
請求項１から３記載の発明によれば、コンシールド型スプリンクラーヘッドに装着される被水防止装置において、保持部に被水防止板の設置される位置を所定間隔で複数設けたことによって被水防止板を複数個所に容易に着脱可能であり、また被水防止板の移動規制手段を設けたことで被水防止板が移動したり外れたりすることを防止でき、常に正常な位置に設置された状態を維持できる。
【００２６】
また保持部および被水防止板に、被水防止板が保持部円周方向あるいは保持部外周方向への移動を規制すると共に着脱可能な係合部を設けたことでスプリンクラーヘッドの放水時の水流や被水防止板に物がぶつかる等して被水防止板の位置がずれたり外れたりすることを防止できる。
【００２７】
請求項４記載の発明によれば、保持部には前記リテーナーの鍔部の収容部が設けられていることで、保持部とリテーナーがフラットに接続され、必要以上に保持部や被水防止板を室内側に突出させないことで意匠性が向上する。
【００２８】
請求項５記載の発明によれば、被水防止板の遮水部にはスプリンクラーヘッドの放水方向に伸びる支持部を設けたことにより、遮水部の補強がなされると共にスプリンクラーヘッドから放出された水を遮ることなく通過させることができ、水の勢いによる被水防止板の変形や破損することを防止できる。
【００２９】
請求項６記載の発明によれば、前記被水防止板において支持部の角部と接合部によって保持部を挟持可能としたことでリテーナーに取り付ける前の段階で保持部と被水防止板を接続させたい場合に、挟持部によって容易に接続が可能となる。
【００３０】
請求項７記載の発明によれば、保持部のカバープレート側に対向する面において前記角部が挟持される位置に表示を行ったことで、リテーナーまたは天井面に保持部が設置された後の状態で被水防止板を設置したい場合に、該表示により被水防止板の取り付け位置を容易に認識することが可能となる。
【発明を実施するための最良の形態】
【００３１】
本発明の被水防止装置は、天井面とカバープレートの間に設置されるリング状の保持部と、該保持部の周縁に着脱可能に設置する被水防止板から構成される。保持部はリテーナーまたは天井面に設置され、保持部と被水防止板の接続は、着脱可能でありスプリンクラーヘッドからの放水によって被水防止板が外れないように強固に接合可能な、係合、嵌合、噛合、螺合等の方法を用いる。
【００３２】
保持部には、被水防止板が設置される位置を所定間隔で複数予め設けておき、被水防止板の設置個数が増えた場合においても、保持部の形状や構造を変更せずにそのまま利用可能とする。
【００３３】
また、スプリンクラーヘッドからの放水の勢いによって被水防止板が動いたり、外れたりすることを防止する規制手段を設ける。該規制手段は被水防止板が保持部の円周方向や外周方向への移動を規制するものであり、当該方向への移動を規制する凹凸や段部等の係合部を設けることで、被水防止板を保持部の所定位置に着脱可能に固定する構造とする。
【００３４】
被水防止板は、保持部と着脱可能に接続される接合部と該接合部から垂下して設けられた遮水部から形成される。遮水部は近隣のスプリンクラーヘッドが被水しないようにスプリンクラーヘッドから放出される水を遮るように板状に形成してもよいし、または水流を斜め下方へ促すために該方向に傾いた羽を設けることも可能である。
【００３５】
遮水部がスプリンクラーヘッドからの放水によって外れたり、破損したりすることを防ぐために遮水部を補強する支持部を設けてもよい。該支持部は被水防止板に設けてもよいし保持部側に設けてもよい。その際、支持部はスプリンクラーヘッドからの放水の妨げとならない構造のものが好ましい。具体的にはスプリンクラーヘッドと対向する面の幅を狭く構成する。支持部の強度を上げたい場合には支持部がスプリンクラーヘッドからの水流の妨げにならないようにスプリンクラーヘッドの方向に延出させて構成する。
【００３６】
また、スプリンクラーヘッドとカバープレートを接続するリテーナーに保持部を一体に設けることも可能である。
【実施例】
【００３７】
以下、この発明の実施例を図１から図４を参照して説明する。図１はコンシールド型スプリンクラーヘッドに装着された本発明の被水防止装置を表す図であり、図２は図１の要部拡大図（一部断面）、図３は被水防止装置の分解斜視図、図４は被水防止装置をカバープレート側から見た平面図である。
【００３８】
本発明の被水防止装置は、環状の保持部１と該保持部１に着脱可能に設置される被水防止板２から構成される。
【００３９】
図１には、天井裏の配管３に接続されたスプリンクラーヘッド４が図示されている。スプリンクラーヘッド４は、カバープレート５により覆い隠され室内側からは見えないように構成されている。カバープレート５はスプリンクラーヘッド４の外周部に接続された筒状のリテーナー６と接続されている。
【００４０】
リテーナー６の下部はフランジ状に拡張された鍔部７が形成されており、該鍔部７より垂下して設けられた脚８の先端が屈曲され、カバープレート５との接合面９が形成される。該接合面９とカバープレート５とを低融点合金１０により接合させ、火災時には低融点合金１０が溶融することによりカバープレート５が落下して、スプリンクラーヘッド４が室内側から見えるようになる。尚、カバープレート５の落下を促すために弾発体５Ａをカバープレート５と鍔部７の間に介在させることも可能である。
【００４１】
保持部１は環状であり、穴１１はリテーナー６の筒部より大径となっており、該穴１１はリテーナー６の筒部に嵌込まれて鍔部７により係止される。穴１１の縁は、天井裏の方向に湾曲して立設されている。保持部１の鍔部７と接触する面には、鍔部７の外周径よりやや大径の凹み１２が形成されており、鍔部７が該凹み１２に収容されることで保持部１が鍔部７にフラットに設置され、意匠面で好ましいものになる。
【００４２】
保持部１の外径は鍔部７の外径より大きく、保持部１の天井板１３側の面の周縁部分には均等間隔で被水防止板２が嵌合される凹部１４が複数形成されている。該凹部１４には溝１５が刻設されている。また、凹部１４が設けられている面には、保持部１を天井板１３に固定するための楔１６を設けておくことも可能である。
【００４３】
被水防止板２は、前述の凹部１４に嵌め込まれる接合部１７と該接合部１７より垂下して形成された遮水部１８を有する。接合部１７の形状は凹部１４と略同じ形状をしており、接合部１７が凹部１４に嵌め込まれることで被水防止板２がスプリンクラーヘッドから放出された水の勢いによって円周方向に動かないように規制している。
【００４４】
接合部１７が凹部１４に嵌め込まれた状態において、支持部１の天井面１３側の面は凸凹の無いフラットな状態となる。また接合部１７の凹部１４に嵌め込まれる部分には、前述の溝１５と係合される突起１９が設けられている。該突起１９と溝１５が係合することで、スプリンクラーヘッド４から放出された水の勢いによって被水防止板２が外れてしまうことを防止できる。
【００４５】
接合部１７の一部は、保持部１の外周より突出するよう形成されている。保持部１の外周より突出された部分には前述の遮水部１８が設けられている。
【００４６】
遮水部１８には支持部２０が設けられている。支持部２０はスプリンクラーヘッド４からの放水の妨げとならないようにスプリンクラーヘッド４が設置されている方向に延出した形状となっている。支持部２０には、複数の羽２１Ａ、２１Ｂが層状に設置されており、該羽２１Ａ、２１Ｂはスプリンクラーヘッド４側から保持部１の外周側に向かって下り傾斜となるように傾いて設置されており、スプリンクラーヘッド４から放出された水が遠方へ飛散することを阻んで近隣のスプリンクラーヘッドが被水しないようにしている。
【００４７】
また、支持部２０の接合部１７に向かって延出された角部２２は、保持部１付近まで延出されており、角部２２と接合部１７の間に保持部１を挟み込み、挟持可能に構成されている。
【００４８】
図４のように保持部１の角部２２が接触する箇所に表示２３を設けておくと、被水防止板２を保持部１へ設置する位置の目安となり、被水防止板２の設置作業が容易になる。表示２３は溝や突起等により代用してもよい。
【００４９】
本発明の被水防止装置は、スプリンクラーヘッドの放水時の水流によって被水防止板が円周方向に移動して位置がずれたり、外周方向に移動して外れない構成であれば、上記の実施例に限定されることはなく、以下に説明する図５から図７の構成にすることも可能である。尚、図５から図７において、前述の実施例と構成・作用が同じ部分には同符号を付し、詳細な説明は省略する。また、図５から図７は要旨の説明に用いるため図面の一部を省略して描いている。
【００５０】
図５のように保持部１に穿設された穴３１に被水防止板２の爪３２を挿入して被水防止板２を保持部１に接続したものや、あるいは図６のように保持部１に形成した凹部１４の側面に段部３３を形成し、該段部３３と係合可能な突起３４を有する被水防止板２を設けてスプリンクラーヘッドの放水時の水流によって被水防止板２が外れないようにすることも可能である。
【００５１】
さらに図６では、スプリンクラーヘッド４から放出された水を遠方へ飛散させないように設けた羽３５を備えた支持部３６が、保持部１の切欠き３７と係合するように構成して被水防止板２の円周方向への移動を規制してもよい。
【００５２】
また、図７においては、被水防止板２に断面コ字型のクリップ部３８を設け、該クリップ部３８の端部を保持部１の内周側に形成された切欠き３９から外周方向に挟み込むことでスプリンクラーヘッド４から放出された水によって被水防止板２が外れるのを防止している。またクリップ部３８の屈曲部側面３８Ａと切欠きの側面３９Ａによって被水防止板２の円周方向への移動が規制される。
【図面の簡単な説明】
【００５３】
【図１】コンシールド型スプリンクラーヘッドに装着された本発明の被水防止装置
【図２】図１の要部拡大図（一部断面）
【図３】被水防止装置の分解斜視図
【図４】被水防止装置をカバープレート側から見た平面図
【図５】被水防止装置の他の実施形態を表す分解斜視図
【図６】被水防止装置の他の実施形態を表す分解斜視図
【図７】被水防止装置の他の実施形態を表す分解斜視図
【図８】特許文献２に記載の被水防止板
【図９】特許文献１に記載の被水防止手段
【符号の説明】
【００５４】
１  保持部  
２  被水防止板  
３  配管  
４  スプリンクラーヘッド  
５  カバープレート  
６  リテーナー  
７  鍔部  
１４  凹部  
１５  溝  
１６  楔  
１７  接合部  
１８  遮水部  
１９  突起  
２０  支持部  
２１Ａ、２１Ｂ  羽  
２２  角部  
２３  表示  
【図１】
2010167064.tif 000003
【図２】
2010167064.tif 000004
【図３】
2010167064.tif 000005
【図４】
2010167064.tif 000006
【図５】
2010167064.tif 000007
【図６】
2010167064.tif 000008
【図７】
2010167064.tif 000009
【図８】
2010167064.tif 000010
【図９】
2010167064.tif 000011